(57)【特許請求の範囲】
【請求項１】
両端にＵ字状溝部材を固着した映写用スクリーンであって、折目をつけることなく折り畳むことができるように形成されたものと、前記映写用スクリーンの幅より長い幅をもち、弾性的に繰り返し湾曲できるように形成できると共に、折り畳みできるように形成されたバックシートとを備えて、前記映写用スクリーンを使用するときは、折り畳んだ前記映写用スクリーンを広げて、前記両端の前記Ｕ字状溝部材に、折り畳んだ前記バックシートを広げて、その両端を差し込んで前記映写用スクリーンを平面状に張り、前記映写用スクリーンを使用しないときは、前記映写用スクリーンの前記Ｕ字状溝部材から前記バックシートを脱離したのち、前記映写用スクリーンと前記バックシートとをそれぞれ折り畳んで格納できるようにしたことを特徴とした映写用スクリーン装置。
【請求項２】
前記映写用スクリーンが、複数個の分割シートに折り畳まれて、両端の前記Ｕ字状溝部材が、前記分割シートの折り畳みに応じて分割されていることを特徴とした請求項１記載の映写用スクリーン装置。
【請求項３】
前記映写用スクリーンが、複数個の分割シートを、折り曲げ可能に裏面に貼着した貼着テープにより折り曲げ可能につなぎ合わされて全体シートに形成されると共に、前記全体シートの両端に固着する前記Ｕ字状溝部材を、前記分割シートの折り曲げに応じて分割されていることを特徴とした請求項１記載の映写用スクリーン装置。
【請求項４】
前記バックシートが、複数個の分割シートに形成されると共に、前記各分割シートの端部の一部を重ね合わして重合部分を形成し、前記重合部分に貼着テープを貼着して折り返しできるようにすると共に、前記重合部分により湾曲可能に形成できるようにしたことを特徴とした請求項１記載の映写用スクリーン装置。
【発明の詳細な説明】
【技術分野】
【０００１】
本発明は、映写用スクリーンを卓上等の平面上に立てて使用できるようにした映写用スクリーン装置に関する。
【背景技術】
【０００２】
従来、卓上等に映写用スクリーンを立てるには、種々の装置があるが、いずれも金属製、合成樹脂製のスタンド台や枠組を設けているので、重く、大きく、携帯には不便であった。そこで、特開平９−２３０５０３号公報、特開平９−２３０５０５号公報、特開平１０−４８７４９号公報に示すように、２つ折りできる箱体に映写用スクリーンを緩く折り曲げて収納し、箱体を開いて立て、映写用スクリーンを平面状に展開して使用するものが考えられたが、２つ折りできる箱体は、Ａ４サイズ紙程度が収容できるカバンやケース等に入れるためには、映写用スクリーンの大きさをＡ３サイズ以上に製作することが困難であった。本発明者は、Ａ４サイズ程度の大きさを収納できるカバンに、Ａ１サイズ乃至Ａ３サイズ程度の映写用スクリーンとそのスタンドを折り畳んで収容して使用できるようにした映写用スクリーン装置を開発することに成功した。
【先行技術文献】
【特許文献】
【０００３】
【特許文献１】特開平９−２３０５０３号公報
【特許文献２】特開平９−２３０５０５号公報
【特許文献３】特開平１０−４８７４９号公報
【発明の概要】
【発明が解決しようとする課題】
【０００４】
本発明は、小さく折り畳んで携行し、使用時には大きく広げて卓上等で使用できるようにした映写用スクリーン装置を提供するものである。
さらに、本発明は、軽量、薄厚で安価に製作できる映写用スクリーン装置を提供するものである。
【課題を解決するための手段】
【０００５】
本発明映写用スクリーン装置は、上記課題を達成するため、図示するように、請求項１の発明は、両端にＵ字状溝部材を固着した映写用スクリーンであって、折目をつけることなく折り畳むことができるように形成されたものと、前記映写用スクリーンの幅より長い幅をもち、弾性的に繰り返し湾曲できるように形成できると共に、折り畳みできるように形成されたバックシートとを備えて、前記映写用スクリーンを使用するときは、折り畳んだ前記映写用スクリーンを広げて、前記両端の前記Ｕ字状溝部材に、折り畳んだ前記バックシートを広げて、その両端を差し込んで前記映写用スクリーンを平面状に張り、前記映写用スクリーンを使用しないときは、前記映写用スクリーンの前記Ｕ字状溝部材から前記バックシートを脱離したのち、前記映写用スクリーンと前記バックシートとをそれぞれ折り畳んで格納できるようにした映写用スクリーン装置である。
また、本発明映写用スクリーン装置は、上記課題を達成するため、図示するように、請求項２の発明は、請求項１の発明において、前記映写用スクリーンが、複数個の分割シートに折り畳まれて、両端の前記Ｕ字状溝部材が、前記分割シートの折り畳みに応じて分割されている映写用スクリーン装置である。
また、本発明映写用スクリーン装置は、上記課題を達成するため、図示するように、請求項３の発明は、請求項１の発明において、前記映写用スクリーンが、複数個の分割シートを、折り曲げ可能に裏面に貼着した貼着テープにより折り曲げ可能につなぎ合わされて全体シートに形成されると共に、前記全体シートの両端に固着する前記Ｕ字状溝部材を、前記分割シートの折り曲げに応じて分割されている映写用スクリーン装置である。
さらに、本発明映写用スクリーン装置は、上記課題を達成するため、図示するように、請求項４の発明は、請求項１の発明において、前記バックシートが、複数個の分割シートに形成されると共に、前記各分割シートの端部の一部を重ね合わして重合部分を形成し、前記重合部分に貼着テープを貼着して折り返しできるようにすると共に、前記重合部分により湾曲可能に形成できるようにした映写用スクリーン装置である。
本発明において、映写用スクリーンには、公知の反射型映写用スクリーン、公知の透過型映写用スクリーン及び公知の反射型及び透過型両用映写用スクリーンが含まれ、材質的には、折り畳んで折目のつかない布はく製、不織布製、合成樹脂フィルム製、その他の材料が含まれる。また、映写用スクリーンは、折り畳んで折り目のつく材料であっても、複数個の分割シートに分割されて各分割シートの境目が折り返し可能の同色の貼着テープで貼着され、各分割シート単位に折り畳みができる場合も含まれる。バックシートは、合成樹脂製シートのほか各種材質のシート又は板材を含み、繰り返し湾曲できるものである。また、透明シート又は透明板材も含まれる。
【発明の効果】
【０００６】
本発明品映写用スクリーン装置は、映写用スクリーンが使用時には少なくとも４０型〜２０型程度のスクリーンの大きさとなり、不使用時には、ほぼＡ４サイズ程度に小さく折り畳んで携行でき、また、バックシートも不使用時にはほぼＡ４サイズ程度に小さく折り畳んで携行できる。さらに、本発明品は、薄厚に折り畳んで、運搬性や軽量性もよく、製作費も極めて安価につく利点がある。
【図面の簡単な説明】
【０００７】
【図１】本発明の実施例の正面からみた斜視図である。
【図２】図１の背面からみた斜視図である。
【図３】図１のバックシートの裏面からみた展開図である。
【図４】図１の映写用スクリーンを折り畳んだときの斜視図である。
【図５】図１のバックシートを折り畳んだときの斜視図である。
【図６−１】本発明の別の実施例の背面からみた斜視図である。
【図６−２】図６−１のバックシートの裏面からみた展開図である。
【図７−１】本発明のさらに別の実施例の映写用スクリーンの表面からみた展開図である。
【図７−２】図７−１の裏面からみた展開図である。
【発明を実施するための形態】
【０００８】
本発明を実施するための最良の形態が実施例１乃至実施例３に示されている。
【実施例１】
【０００９】
本発明映写用スクリーン装置の実施例１が、図１乃至図５に示されている。
本発明実施例の映写用スクリーン装置は、映写用スクリーン１０Ａと、バックシート２０Ａと、Ｕ字状溝部材３０Ａとを備えている。映写用スクリーン１０Ａは、布はく、不織布、合成樹脂フィルム等の折り畳んで折目を残さないものにより、反射形、透過形又は反射透過両用形の公知のスクリーンが形成され、裏面の両端１１Ａ、１１Ａにそれぞれ溝部材３０Ａが固着されている。各溝部材３０Ａは、断面Ｕ字状の細長合成樹脂製で、実施例では、図１、図２及び図４に示すように、溝部材３０Ａは、映写用スクリーン１０Ａの折り畳みに応じて分割溝部材３０１Ａ及び３０２Ａに分割３００Ａされている。
バックシート２０Ａは、映写用スクリーン１０Ａの幅Ｗより長い幅をもち、繰り返し弾性的に湾曲可能な合成樹脂製等の薄板が用いられ、本実施例では、図２及び図３に示すように、分割シート２０１Ａと２０１Ａ及び分割シート２０２Ａと２０２Ａに分割され、分割シート２０１Ａと分割シート２０２Ａとは、図１及び図２に示すように、側端部で重ね合わされて重合部分ＤＡを形成し、重合部分ＤＡは貼着テープ４０Ａにより折り返し可能に貼着されると共に、重合部分ＤＡは湾曲可能に貼着テープ４０Ａにより貼着される。さらに、上下の分割シート２０１Ａ及び上下の分割シート２０２Ａは、それぞれつなぎ合せのため貼着テープ５０Ａにより折り返し可能に貼着される。
従って、本発明実施例の映写用スクリーン装置を使用するときは、図４に示す折り畳んだ状態の映写用スクリーン１０Ａを拡げ、次いで図５に示す折り畳んだ状態のバックシート２０Ａを、図３に示すように拡げて展開し、その両端２１Ａ、２１Ａを、図１及び図２に示すように、各Ｕ字状溝部材３０Ａに差し込めば、映写用スクリーン１０Ａは平面状に緊張して張ることができると共に、卓上等の平面上に直立できる。
映写用スクリーン１０Ａを使用しないときは、図４に示すように、折り畳んで薄厚小型化でき、また、バックシート２０Ａも、図５に示すように、折り畳んで薄厚小型化できる。本実施例では、映写用スクリーン１０Ａは幅約６０センチメートル、高さ約４２センチメートルの３０型スクリーン１０を想定した場合、映写用スクリーン１０Ａ及びバックシート２０Ａは、ほぼＡ４サイズに折り畳んでＡ４サイズの収納カバン等に収容して携行できる。
【実施例２】
【００１０】
本発明映写用スクリーン装置の実施例２が、図６−１及び図６−２に示されている。
本発明実施例の映写用スクリーン装置は、映写用スクリーン１０Ｂと、バックシート２０Ｂと、Ｕ字状溝部材３０Ｂとを備えている。映写用スクリーン１０Ｂは、実施例１とスクリーンサイズが異なるだけで、構成は同様であるため、詳細説明は省略する。
溝部材３０Ｂは、実施例１と長さが異なるだけで、構成は同様であるため、詳細説明は省略する。
バックシート２０Ｂは、繰り返し湾曲可能な合成樹脂製等の薄板が用いられ、本実施例では、図６−２に示すように、４個の同形の分割シート２０１Ｂと、分割シート２０１Ｂより横幅がやや短い４個の分割シート２０２Ｂに分割され、各分割シート２０１Ｂと各分割シート２０２Ｂとは、端部で重ね合わされて重合部分ＤＢを形成し、重合部分ＤＢは貼着テープ４０Ｂにより折り返し可能に貼着されると共に、重合部分ＤＢは貼着テープ４０Ｂにより湾曲可能に貼着される。さらに、上下の各分割シート２０１Ｂと上下の各分割シート２０２Ｂとは、つなぎ合せのため端部が貼着テープ５０Ｂにより折り返し可能に貼着される。
従って、本発明実施例の映写用スクリーン装置を使用するときは、実施例１と同様に折り畳んだ状態の映写用スクリーン１０Ｂを拡げ、次いで折り畳んだ状態のバックシート２０Ｂを拡げて展開して、その両端を、Ｕ字状溝部材３０Ｂに差し込めば、映写用スクリーン１０Ｂは平面状に緊張して張ることができると共に、卓上等の平面上に直立できる。
映写用スクリーン１０Ｂを使用しないときは、折り畳んで薄厚小型化でき、また、バックシート２０Ｂも、折り畳んで薄厚小型化できる。本実施例では、映写用スクリーン１０Ｂは幅約８０センチメートル、高さ約６０センチメートルの４０型スクリーン１０Ｂを想定した場合、映写用スクリーン１０Ｂ及びバックシート２０Ｂは、いずれもほぼＡ４サイズに折り畳んでＡ４サイズの収納カバン等に収容して携行できる。
【実施例３】
【００１１】
本発明映写用スクリーン装置の実施例３が、図７−１及び図７−２に示されている。
本発明実施例の映写用スクリーン装置は、映写用スクリーン１０Ｃと、バックシート２０Ｃと、Ｕ字状溝部材３０Ｃとを備えている。映写用スクリーン１０Ｃは、図７−１及び図７−２に示すように、４個の同形の分割スクリーン１０１Ｃを、裏面に貼着した同色の貼着テープ６０Ｃにより貼着して各分割スクリーン１０１Ｃの継目１００Ｃを折り曲げ可能にすると共に、裏面の両端１１Ｃ、１１Ｃに溝部材３０Ｂが固着される。各分割スクリーン１０１Ｃは、継目１００Ｃ毎に折り畳まれるが、継目１００Ｃ以外では折り畳まれないものである。溝部材３０Ｃは、実施例１と同じ構成であるので詳細説明は省略する。
バックシート２０Ｃは、実施例１と同じ構成であるので詳細説明は省略する。
映写用スクリーン１０Ｃの使用時又は不使用時の取扱いは、実施例１と同様であるので詳細説明は省略する。
【産業上の利用可能性】
【００１２】
本発明品は、小型、軽量、製作容易で安価に量産できる。
【符号の説明】
【００１３】
１０Ａ、１０Ｂ、１０Ｃ            映写用スクリーン
１０１Ａ、１０２Ｂ、１０１Ｃ      分割スクリーンシート
１００Ｃ                          分割スクリーンの継目
１１Ａ、１１Ｂ、１１Ｃ            映写用スクリーンの端部
２０Ａ、２０Ｂ、２０Ｃ            バックシート
２０１Ａ、２０２Ａ                バックシートの分割シート
２０１Ｂ、２０２Ｂ                バックシートの分割シート
ＤＡ、ＤＢ                        分割シートの重合部分
２１Ａ、２１Ｂ、２１Ｃ            バックシートの端部
３０Ａ、３０Ｂ、３０Ｃ            Ｕ字状溝部材
３０１Ａ、３０２Ａ、３０１Ｂ、３０２Ｂ、３０１Ｃ、３０２Ｃ     分割溝部材
３００Ａ、３００Ｂ                Ｕ字状溝部材の分割
４０Ａ、４０Ｂ、４０Ｃ、５０Ａ、５０Ｂ、６０Ｃ     貼着テープ
【図１】
0005504478.tif 000002
【図２】
0005504478.tif 000003
【図３】
0005504478.tif 000004
【図４】
0005504478.tif 000005
【図５】
0005504478.tif 000006
【図６−１】
0005504478.tif 000007
【図６−２】
0005504478.tif 000008
【図７−１】
0005504478.tif 000009
【図７−２】
0005504478.tif 000010